(57)【特許請求の範囲】
【請求項１】
所定の位置に、穴が開けられたプリペイドカード等のカードを複数枚束ねて、穴位置、サイズ等の可否を検査する装置であって、少なくとも、レンズにより平行光となったレーザ光を発する光源部と、該平行光となったレーザ光を受ける、平行光に略直角で且つレーザ光の巾に対応するようにＣＣＤ素子を配列した受光部とを有するイメージセンサと、該イメージセンサの受光部の各素子からの光の有無情報により位置を演算し表示する演算表示部と、前記レーザ光源部とイメージセンサ受光部との間に、カードを所定の穴位置を合わせて束ねて、且つ、束ねられたカードの穴がレーザ光源部からの平行光に略平行となるようにして保持するカード保持部とを備え、光源部からのイメージセンサ受光部各素子への入射光の有無情報にもとづき、演算表示部により、演算された位置データと予め知られている所定の位置データを比較することにより束ねられたカードの穴部の位置等の可否を判断し、且つその結果を表示することを特徴とするカードの穴検査装置。
【請求項２】
請求項１において、カードの穴部の位置の可否の判断結果を知らせるためのブザーおよびまたは音声発生手段を備えていることを特徴とするカードの穴検査装置。
【発明の詳細な説明】
【０００１】
【産業上の利用分野】
本発明は，プリペイドカード等のカードに関し、詳しくは、所定の位置に穴が開けられたカードの穴位置、サイズ等の可否を検査する装置に関する。
【０００２】
【従来の技術】
プリペイドカードとしては、カード基体の一部に磁気テープを積層した磁気カードが古く一般的であるが、近年新しい情報記録媒体としてＩＣカードも次第に普及しつつある。
プリペイドカードは、従来より、電話機にカードを挿入して利用するカードシステム等において使用されている。
例えば、プリペイドカードを用いて電話機を利用するカードシステムは、ユーザが必要に応じてプリペイドカードを購入し、公衆電話機にカードをセットし電話をかけるもので、リーダライタ（Ｒ／Ｗ）である公衆電話機は電気信号によりカードのメモリ内の度数を読み出し、残度数に応じて通話の継続切断を制御している。
これらのプリペイドカードの場合、所定の位置に穴をあけ、穴部を一つの認識手段とすることがあった。
予め、所定の位置に穴をあけ、リーダライタで読み取り書込みの際に、カードに記録されている磁気情報等及び穴位置を検査することで、セキュリテイを向上させることができる。
この為の穴位置、サイズ等を所定の寸法にて、加工することが要求され、その検査にも信頼性が要求されている。
従来は、この穴位置、サイズ等を一枚づつ、人が所定の定規に合わせ、測定していた。この方法の場合、検査するプリペイドカードの枚数が多いため、その作業に要する時間が多くかかる点や、人手による検査のため信頼性に欠ける点が問題になっていた。
【０００３】
【発明が解決しようとする課題】
本発明は、このような状況のもと、所定の位置に、穴が開けられたプリペイドカード等のカードにおいて、人手によらず、スピーデイに、且つ正確にカードの穴位置、サイズ等の可否を検査する装置を提供とするものである。
【０００４】
【課題を解決するための手段】
本発明のカードの穴検査装置は、所定の位置に、穴が開けられたプリペイドカード等のカードを複数枚束ねて、穴位置、サイズ等の可否を検査する装置であって、少なくとも、レンズにより平行光となったレーザ光を発する光源部と、該平行光となったレーザ光を受ける、平行光に略直角で且つレーザ光の巾に対応するようにＣＣＤ素子を配列した受光部とを有するイメージセンサと、該イメージセンサの受光部の各素子からの光の有無（明暗）情報により位置を演算し表示する演算表示部と、前記レーザ光源部とイメージセンサ受光部との間に、カードを所定の穴位置を合わせて束ねて、且つ、束ねられたカードの穴がレーザ光源部からの平行光に略平行となるようにして保持するカード保持部とを備え、光源部からのイメージセンサ受光部各素子への入射光の有無（明暗）情報にもとづき、演算表示部により、演算された位置データと予め知られている所定の位置データを比較することにより束ねられたカードの穴部の位置等の可否を判断し、且つその結果を表示することを特徴とするものである。
そして、上記において、カードの穴部の位置の可否の判断結果を知らせるためのブザーおよびまたは音声発生手段を備えていることを特徴とするものである。
【０００５】
【作用】
本発明のカードの穴検査装置は、このような構成にすることにより、人手を用いず、カードを複数枚重ねた穴状態を正確に検査できるものとしている。
詳しくは、レーザ光源部からの平行光をメージセンサ受光部の各素子の受光の有無（明暗）情報を得ることにより、カードの穴状態に対応した正確な位置情報を得ることができる。
また、カードを所定の穴位置を合わせて、正確に束ねて、且つ、束ねられたカードの穴がレーザ光源部からの平行光に略平行となるようにして保持する保持部を有することにより、複数枚の検査をできるものとしている。
そしてまた、イメージセンサ受光部の各素子からの光の有無（明暗）情報により位置を演算し表示する演算表示部を備えていることにより、人手を用いず、穴位置を得ることができる。
そして、演算表示部に、所定の位置データとイメージセンサ受光部各素子への入射光の有無（明暗）情報にもとづき得られた演算表示部の位置データとを比較して可否を判断し、その結果を表示する手段を備えていることにより、所定の入力値に対する判定を行うことを可能としている。
又、判断結果を知らせるためのブザーおよびまたは音声発生手段を備えていることにより、判断結果を目によらず、耳より得ることができるものとしている。特に判断結果が否の場合にブザーを鳴らし注意を喚起することもできる。
本発明のカードの穴検査装置は、カードを複数枚重ねた穴状態を正確に検査、判定できるものであるが、判定が可であれば、検査された複数枚のカードは全て良品とされる。判定が否であれば、例えばその半数づつを再度検査し、更に否であれば更に分割して各々を検査するという具合に検査をする。したがって、否となるものが極めて発生する率が低いカードのようなものについては、大部分が可と判定される為、本装置はきわめて有効なものである。
【０００６】
【実施例】
本発明の穴検査装置の実施例を挙げ、図にもとづいて説明する。
図１は実施例カードの穴検査装置の構成全体の概略図を示しており、図２は本実施例装置のイメージセンサ部と、検査の原理を説明するための概略図である。図１中、１００は穴検査装置、１０１はレーザセンサ、１０１Ａは投光部、１０１Ｂは受光部、１０２はプリペイドカード、１０３はプリペイドカード保持部で、１１０は演算表示部である。
本実施例の穴検査装置１００は、光源部１０１Ａと受光部１０１Ｂとからなるレーザセンサ１０１により、穴エッジ部を測定し、この測定情報と所定の入力値とから演算表示部１１０により比較演算することにより、セットされたカードの束の穴位置状態が正常であるか否かを判断し、その結果を表示し、且つ、ブザーによる警報を鳴らすものである。
【０００７】
レーザセンサ１０１の光源部１０１Ａと受光部１０１Ｂの構造、及び検査の原理を図２にもとづいて説明する。図２（ａ）は光源部１０１Ａと受光部１０１Ｂとの間に所定の位置に穴を有するプリペイドカードを束ねて置いて検査をしている図であり、図２（ｂ）は、イメージセンサ１３０の各ＣＣＤ素子１３１の状態を示した図である。
投光部１０１Ａは赤色半導体レーザ１２０からの光を投光レンズ１２１により平行光とし、受光部１０１Ｂ側へ光を送るものであり、受光部１０１Ｂは投光部１０１Ａからの光に略直角方向の面で、垂直方向にＣＣＤ素子１３１を連続して配列したＣＣＤイメージセンサ１３０を設けたもので、通常はＣＣＤ素子に光が入射される手前側にバンドパスフイルター１３２を配している。
したがって、光源部１０１Ａからの光は、光源部１０１Ａと受光部１０１Ｂとの間になにも介在しない場合にはそのまま、光源部１０１Ａの各位置の光は、各位置の光に対応した位置のＣＣＤ素子へのみ入射されることとなる。
被測定対象物であるカードを束ねて投光部１０１Ａと受光部１０１Ｂに置いた場合には、プリペイドカード１０２の穴部１４０を通過した光、及びカードの外周より外側のみの光がＣＣＤ素子に入射されることとなる。
一方、ＣＣＤイメージセンサは７８０回／ｓｅｃで走査されており、各ＣＣＤ素子の明暗（光入射の有無）情報から、どのＣＣＤ素子で光入射の有無が別れるか、即ち、どの隣接するＣＣＤ素子の間に明暗が反転するエッジ（光入射の有無の境）があるかを逐一得ている。
図２においては、プリペードカード外形エッジＡに相当するＣＣＤ素子の位置とＡ２であり、プリペードカードの穴部上端エッジＢ、及び穴部下端エッジＣに相当するＣＣＤ素子の位置はそれぞれＢ２、Ｃ２となる。
【０００８】
演算表示部は、得られた各ＣＣＤ素子の明暗が反転するエッジ（光入射の有無の境）位置情報から対応する被測定物（カード）のエッジ位置を演算するのである。これにより、カードの所定のエッジ間の距離も対応して求められる。
このようにして、束ねられたカードの穴位置エッジが測定されれるのであるが、演算表示部は、更に、測定されたデータと予め知られているカードの正規の値とを演算表示部により比較演算することにより、カードの穴状態が正常か否かを判断する。
そして、この結果を演算表示部により表示し、且つ、ブザーによる警報を鳴らす。
本実施例装置の場合は、図２に示すように、プリペイドカード１０２の外形エッジＡと穴部１４０の上端エッジＢの間を測定、且つ、プリペイドカード１０２の外形エッジＡと穴部１４０の下端エッジＣの間を測定するもので、両測定値ともに、予め知られている所定の数値範囲に入っている場合には、束ねられらたカード全数は、その穴位置が所定の位置にあると判定する。そして、両測定値の一方でも予め知られている所定の数値範囲に入っていない場合には、この束のカードの少なくとも１枚は穴位置が所定の位置にないものと判断するのである。
【０００９】
カード保持部１０３は、略カードの長さサイズに合わせた巾をもったもので、且つ、投光部に比べ受光側が低く傾斜するように設定されており、特に、束ねたカード投光側を治具等により支持しなくても、保持部内にカードを束ねてセットするだけで、カードの自重により略きちんとセットされ測定ができる。
又、測定位置にカードをセットするには、予め回転部１０３Ａにより保持部１０３全体を回転させ、カードを束ねて保持部においた後、保持部とカードを一体として回転し図１に示すように測定位置にセットできる。
【００１０】
本実施例のように、プリペイドカード１０２を受光部１０１Ｂ側によせて検査する場合、束ねられたプリペイドカードの厚みが薄くなると、検査の精度が低下することが知られている。この為、みかけ上カードの厚みを厚くするための補助具を用いて、検査の精度が低下することを防ぐ。補助具としては図３に示すようにして使うもので、カードと同形状で厚みが７０ｍｍ程度の板状のもので、カードと同じ位置に、略同じ形状、サイズの穴が開いており、且つ検査する際、カードの穴を通るレーザ光を遮断しないものである。補助具の穴部以外の部分はレーザ光遮光性である。
尚、本実施例の場合、束ねられたプリペイドカードの厚みが薄くなると、検査の精度が低下する理由としては、光源部１０１Ａの投光レンズ１２１により平行光としたレーザ光を検査光として用いているが、補助具を用いないで束の厚みが薄いカードを検査する場合には、光の回折、干渉等の影響が大きくなる為と思われる。本装置の場合、正確な検査を行うにはカードの厚みは７０ｍｍ程度必要であった。
【００１１】
【発明の効果】
本発明の穴検査装置によれば、上記のように、複数のプリペイドカードを束ねて一度に検査することができ、人手によらず、スピーデイに、且つ正確にカードの穴位置状態の可否を判断することを可能としている。
特に、作成上、不良となる数が極めて少ないプリペイドカードの場合には有効でとなる。
【図面の簡単な説明】
【図１】実施例の穴検査装置概略図
【図２】実施例装置のイメージセンサ部と、検査の原理を説明するための概略図
【図３】補助具を用いた場合の検査を説明するための図
【符号の説明】
１００        穴検査装置
１０１        レーザセンサ
１０１Ａ      光源部
１０１Ｂ      受光部
１０２        プリペイドカード
１０３        カード保持部
１０３Ａ      回転部
１１０        演算表示部
１２０        赤色半導体レーザ
１２１        投光レンズ
１３０        ＣＣＤイメージセンサ
１３１        ＣＣＤ素子
１３２        バンドパスフイルター
１４０        補助具
【図１】
0003576221.tif 000002
【図２】
0003576221.tif 000003
【図３】
0003576221.tif 000004